(57)【要約】      （修正有）【解決手段】端子ユニットの配列が、上方が、ケーブル端溶接面が水平面で、中央ケーブル端が垂直、且つ、平行で、下方端子ケーブル端溶接面が水平面を呈する電気コネクタを提供する。【効果】このような水平、垂直ケーブル端溶接面の配列方式により、ケーブル端溶接面の互いの平面間隔を増加し、ケーブル溶接上の便利性を向上し、溶接工程に必要な時間を短縮することができる。【選択図】図３
0003107702.tif 000002
【実用新案登録請求の範囲】
【請求項１】
電気コネクタであって、
一端がソケット部で、もう一端がケーブル部で、前記ケーブル部上に、複数のスロットを設けているベースと、
溶接時の溶接面により、溶接面が水平面である第一端子ユニットと、溶接面が垂直面である第二端子ユニットと、に分けられ、前記端子は、二つの前記第一端子ユニット中に、前記第二端子ユニットを置放する配列方式により、前記スロット内に挿入する複数の端子ユニットと、
前記ベース上に嵌設される金属ハウジングと、
前記ケーブル部に嵌設され、その上に複数の、端子ユニット末端を穿出する穿孔を有する絶縁分割素子と、
からなることを特徴とする電気コネクタ。
【請求項２】
前記ケーブル部は、係合部を有し、前記絶縁分割素子は、前記係合部と相対して係合する係合溝を有し、前記絶縁分割素子を、前記ケーブル部上に固定することを特徴とする請求項１に記載の電気コネクタ。  
【請求項３】
前記絶縁分割素子上に、係固素子を備え、前記金属ハウジング上の相対する位置に、係固溝を備え、前記金属ハウジングと前記絶縁分割素子の定位強度を増加することを特徴とする請求項１に記載の電気コネクタ。
【請求項４】
前記金属ハウジングの開口端は、接地片を形成していることを特徴とする請求項１に記載の電気コネクタ。
【請求項５】
前記絶縁分割素子は、「工」字型を呈することを特徴とする請求項１に記載の電気コネクタ。
【請求項６】
前記穿孔の配列は、三層配列を呈することを特徴とする請求項１に記載の電気コネクタ。  
【請求項７】
前記絶縁分割素子が、第二層穿孔の間を隔てた壁両側は、傾斜角度を有し、前記第二層穿孔から穿出した端子に対し、加工を施すことを特徴とする請求項６に記載の電気コネクタ。
【請求項８】
前記端子ユニットが、前記穿孔から穿出した後、その配列方式は、上方が、三個の端子溶接面が水平面で、中央の二つの端子溶接面が垂直、且つ、平行で、下方の三つの端子溶接面が水平面を呈することを特徴とする請求項１に記載の電気コネクタ。  
【請求項９】
前記金属ハウジング末端は、倒角に形成され、後続使用時に、誤挿入を防ぐことを特徴とする請求項１に記載の電気コネクタ。
【請求項１０】
前記第一端子ユニットは、溶接面が、端子全体から見て、水平面位置より高い端子と、溶接面が、全体から見て、水平面より低い端子と、からなることを特徴とする請求項１に記載の電気コネクタ。
【考案の詳細な説明】
【技術分野】
【０００１】
本考案は、電気コネクタに関するものであって、特に、ケーブル端の配列方式が、上方が、ケーブル端溶接面が水平面で、中央ケーブル端が垂直、且つ、平行で、下方端子ケーブル端溶接面が水平面を呈する電気コネクタに関するものである。
【背景技術】
【０００２】
公知の電気コネクタは、ある形式のベースを、一つ、或いは、複数の端子に装着している。ベースは、型押しプラスチック、或いは、その類の誘電材料からなる。ベースは、多数の端子を収納するチャネルを有し、その中に端子を装着する。端子は、単独で各チャネルないに挿入してもいいし、多数の端子を一組にして、多数のチャネルに同時に挿入してもよい。これらの端子は、各種導体（電線、プリント回路板上の回路トラック、或いはその他）に接続される。
【０００３】
科学技術の進歩に伴い、コミュニケーションや記録を更に便利にするため、各種電子製品の携帯が一般的になっている。よって、携帯が便利なように、小型化、軽量化の趨勢にあり、端子尺寸、間隔もそれに従って縮小し、現在、一般に見られる、デジタルカメラ、ノート型パソコン等の通信製品のコネクタの端子配列は、図１で示されるように、端子のケーブル端１a溶接面を、水平面の配列方式にしているが、このようなケーブル線１a溶接面の配列方式は、導線２aと溶接する時、相隣する二層のケーブル端１a溶接面の間隔が狭すぎて、溶接の過程が困難で、溶接点が不安定で、製造時間が長いなどの欠点がある。
【考案の開示】
【考案が解決しようとする課題】
【０００４】
本考案は、電気コネクタを提供し、ケーブル端の配列方式が、上方溶接面が水平面で、中央が垂直、且つ、平行で、下方溶接面が水平面を呈し、効果的に、溶接割れを回避し、溶接時の便利性を向上させ、大幅に、製造工程時間を短縮することを目的とする
【課題を解決するための手段】
【０００５】
上述の目的を達成するため、本考案は、電気コネクタを提供し、一端がソケット部で、もう一端がケーブル部で、前記ケーブル部上に、複数のスロットを設けているベースと、導線の溶接時の溶接面により、溶接面が水平面である第一端子ユニットと、溶接面が垂直面である第二端子ユニットと、に分けられ、前記端子は、二つの前記第一端子ユニット中に、前記第二端子ユニットを置放する配列方式により、前記スロット内に挿入する複数の端子ユニットと、前記ベース上に嵌設される金属ハウジングと、前記ケーブル部に嵌設され、その上に複数の、端子ユニット末端を穿出する穿孔を有する絶縁素子と、からなる。
【考案の効果】
【０００６】
本考案の電気コネクタは、端子の溶接面配列方式が、上下端子溶接面が水平配列で、中央の端子溶接面が垂直配列で、ケーブル端の水平と垂直の配列方式により、溶接面の互いの間隔空間を増加し、ケーブル端の溶接割れを防止し、溶接工程が公知の電気コネクタより容易になる。
【考案を実施するための最良の形態】
【０００７】
本考案の電気コネクタは、特に、通信、電子製品に応用するミニUSB（min  USB）電気コネクタである。
【０００８】
本考案において、8個の端子の電気コネクタを実施例としているが、これに限定するものではない。
【０００９】
まず、図２と図３を合わせて参照すると、本考案の電気コネクタは、ベース１からなり、その一端はソケット部１２で、もう一端はケーブル部１４である。ケーブル部１４上に、八個の水平面配列のスロット１４２を有し、且つ、ケーブル部１４上に、係合部１４６を設け、本実施例中、係合部１４６の位置は、八個のスロット１４２中の第二スロット１４２〜第七スロット１４２間に位置し、好ましい係合強度を得ている。
【００１０】
水平溶接面を有する第一端子ユニット２は、ケーブル端２２２がソケット端２２４末端から垂直上向きに湾折した後、水平に延伸して形成される端子２２と、ケーブル端２４２がソケット端２４４末端から垂直下向きに湾折した後、水平に延伸して形成される端子２４と、からなり、第二端子３は、同平面であるが、溶接時の溶接面は、垂直面であるソケット端３２とケーブル端３４と、からなる。
【００１１】
漢字の「工」字型の絶縁分割素子４は、その末端に、係合部１４６と相対して係合する係合溝４２を有し、端子のケーブル端２２２、２４２、３２を穿出する穿孔４４を設ける。本実施例中、穿孔４４は全部で８個で、８個の穿孔４４の配列方式は、それぞれ、３個、２個、３個の方式で、「工」字型の絶縁分割素子４の「工」字状の上層、中央、下層に位置し、且つ、上下両層の各穿孔４４末端の「工」字型の絶縁分割素子４は、ケーブル端容置凹溝４６を連接し、第二層穿孔４４の「工」字型の中央の分割梁４８両側壁は斜面で、これにより、「工」字型の絶縁分割素子４中央部分の分割梁４８は、V字型をなし、「工」字型の絶縁分割素子４上に、係固素子４９を有する。
【００１２】
金属ハウジング５は、その前端が、「門」構えのような形状の開口ハウジング部５２をなし、開口ハウジング部５２上に、係固素子４９と係合する係固溝５２２を備え、長方形状の凸ブロック（接地片）５２４と接地し、金属ハウジング５末端は、更に、後続のメス電気コネクタヘッドと定位する定位溝５４を設置し、メス電気コネクタと接続する時、誤挿入を防止するため、金属ハウジング５末端は、図３で示されるように、倒角に形成する。
【００１３】
図４〜図６は、本考案の組み合わせ図で、まず、二個の第一端子ユニット２間に、第二端子３を置入する配列方式で、端子をスロット１４２に挿入し、この時、図５で示されるように、端子をベース１外に露出させ、ケーブル端２２４、２４４、３４末端の湾折部とケーブル端２２２、２４２、３２を残す。
【００１４】
続いて、「工」字型の絶縁分割素子４を、ベース１上に嵌設し、この時、ケーブル端２２２、２４２、３２は、穿孔４４を穿過し、係合溝４２により、係合部１４６と係合して、図６で示されるように、絶縁分割素子４をベース１上に固定する。
【００１５】
金属ハウジング５をベース１上に嵌設し、この時、開口ハウジング５２は、ベース１と絶縁分割素子４末端を部分的に遮蔽し、ケーブル端２２２、２４２、３２だけを露出し、係固溝５２２と係固素子４９を係合することにより、定位を完成させ、図７で示されるような状態を形成する。続いて、絶縁分割素子４中央両側で露出する第二層ケーブル端３２に対し、溶接を施し、パンチにより、分割梁４８の両側壁に対し、型抜きを施して、ケーブル端３２を外向けに湾折させて、図２で示されるようなケーブル線２２２、２４２、３２の配列で、上方が、三つのケーブル端溶接面が水平面で、中央は、二つのケーブル端溶接面が垂直、且つ、平行で、下方は、三つの端子ケーブル端溶接面が水平面を呈して、公知のような、端子のケーブル溶接面の間隔が狭すぎることにより、溶接割れが生じたり、製造工程時間が冗長である等の欠点を回避する。
【００１６】
上述のように、本考案の電気コネクタは、端子の溶接面配列方式が、上下端子溶接面が水平配列で、中央の端子溶接面が垂直配列で、ケーブル端の水平と垂直の配列方式により、溶接面の互いの間隔空間を増加し、ケーブル端の溶接割れを防止し、溶接工程が公知の電気コネクタより容易になる。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】公知の電気コネクタを示した説明図である。
【図２】本考案を示した説明図である。
【図３】本考案の構造を示した説明図である。
【図４】本考案の組み立て工程を示した説明図である。
【図５】本考案の組み立て工程を示した説明図である。
【図６】本考案の組み立て工程を示した説明図である。
【図７】本考案の組み立て工程を示した説明図である。
【符号の説明】
【００１９】
１a…ケーブル端
２a…導線
１…ベース
１２…ソケット部
１４…ケーブル部
１４２…スロット
１４６…係合部  
２…第一端子ユニット
２２…端子
２２２…ケーブル端
２２４…ソケット端
２４…端子
２４２…ケーブル端
２４４…ソケット端
３…第二端子ユニット
３２…ソケット端
３４…ケーブル端
４…「工」字型の絶縁分割素子
４２…係合溝
４４…穿孔
４６…ケーブル線容置溝
４８…分割梁
４９…係固素子
５…金属ハウジング
５２…開口ハウジング
５２２…係固溝
５２４…接地片
５４…定位溝    
【図１】
0003107702.tif 000003
【図２】
0003107702.tif 000004
【図３】
0003107702.tif 000005
【図４】
0003107702.tif 000006
【図５】
0003107702.tif 000007
【図６】
0003107702.tif 000008
【図７】
0003107702.tif 000009